(57)【要約】【課題】着用中に身体にフィットし易い、おむつの内側に装着する吸収パッドを提供する。【解決手段】おむつの内側に装着する吸収パッド１０は、表面シート２０と、裏面シート２２と、吸収体３０と、おむつに係止する係止部９０と、を有する。吸収体３０は、周縁領域Ｐと、周縁領域Ｐに囲まれた中央領域Ｃと、を有する。中央領域Ｃは、第１中央域Ｃ１と、長手方向Ｌにおける第１中央域Ｃ１の前後に配置された第２中央域Ｃ２と、を有する。第２中央域Ｃ２は、第１中央域Ｃ１及び周縁領域Ｐよりも低い剛性を有する。吸収体３０は、中央領域Ｃに対して幅方向Ｗに隣接する周縁領域Ｐと中央領域Ｃとの境界で、長手方向Ｌに沿って延びる一対の低坪量領域４２と、中央領域Ｃに吸収体３０の幅方向Ｗの中央で長手方向Ｌに延びた第１圧搾溝４０と、を有する。係止部９０は、長手方向Ｌにおいて第１圧搾溝４０が形成された領域を避けて設けられている。【選択図】図４
2017153703.tif 000002
【特許請求の範囲】
【請求項１】
おむつの内側に装着する吸収パッドであって、
長手方向と、
前記長手方向に直交する幅方向と、
表面シートと、
裏面シートと、
前記表面シートと前記裏面シートとの間に設けられ、吸収材料からなる吸収コアを含む吸収体と、
前記裏面シートの非肌面側に、前記おむつに係止する係止部と、を有し、
前記吸収体は、周縁領域と、前記周縁領域に囲まれた中央領域と、を有し、
前記中央領域は、第１中央域と、前記長手方向における前記第１中央域の前後に配置された第２中央域と、を有し、
前記第２中央域は、前記第１中央域及び前記周縁領域よりも低い剛性を有し、
前記吸収体は、
前記中央領域に対して前記幅方向に隣接する前記周縁領域と前記中央領域との境界で前記長手方向に沿って延び、前記第中央領域及び前記周縁領域の吸収材料よりも低い坪量の一対の低坪量領域と、
前記中央領域に、前記吸収体の前記幅方向の中央で前記長手方向に延びた第１圧搾溝と、を有し、
前記係止部は、前記長手方向において前記第１圧搾溝が形成された領域を避けて設けられている、吸収パッド。
【請求項２】
前記第１圧搾溝は、前記第１中央域内に設けられており、前記長手方向において前記第１中央域の境界に達していない、請求項１に記載の吸収パッド。
【請求項３】
前記低坪量領域は、実質的に前記吸収材料を含まない領域である、請求項１又は２に記載の吸収パッド。
【請求項４】
前記係止部は前記周縁領域に設けられている、請求項１から３のいずれか１項に記載の吸収パッド。
【請求項５】
前記周縁領域及び前記第１中央域において前記吸収体に格子状に形成された第２圧搾溝を有する、請求項１から４のいずれか１項に記載の吸収パッド。
【請求項６】
前記第２圧搾溝は、前記長手方向から傾斜した方向に連続的に延びている、請求項５に記載の吸収パッド。
【請求項７】
前記第２圧搾溝は、前記吸収体の非肌面側に施されている、請求項５又は６に記載の吸収パッド。
【請求項８】
前記第２圧搾溝は、少なくとも前記係止部が設けられた領域において前記長手方向に沿って延びている、請求項５から７のいずれか１項に記載の吸収パッド。
【請求項９】
前記第２圧搾溝は、互いに交差する斜め方向に連続的に延びた溝を有し、
前記溝の交点が、前記低坪量領域からずれて配置されている、請求項５から８のいずれか１項に記載の吸収パッド。
【請求項１０】
前記係止部は、前記幅方向において、前記吸収パッドの中心から前記一対の低坪量領域の外側まで延びている、請求項１から９のいずれか１項に記載の吸収パッド。
【請求項１１】
前記第２中央域は、平面視において、前記長手方向において前記第１中央域から離れる方に凸状の形状を有する、請求項１から１０のいずれか１項に記載の吸収パッド。
【請求項１２】
前記幅方向における前記低坪量領域の幅は、前記周縁領域における前記吸収体の厚みよりも大きい、請求項１から１１のいずれか１項に記載の吸収パッド。
【請求項１３】
前記低坪量領域よりも前記長手方向の外側において、前記周縁領域と前記中央領域との境界は、前記長手方向の外側に向かうにつれて前記幅方向の内側に直線状に傾斜している、請求項１から１２のいずれか１項に記載の吸収パッド。
【請求項１４】
前記幅方向における前記吸収パッドの幅は、前記おむつの股下域に配置された吸収体の幅方向における最小幅よりも大きい、請求項１から１３のいずれか１項に記載の吸収パッド。
【請求項１５】
前記幅方向における前記表面シートの外側部を覆うサイドシートと、
前記サイドシートに取り付けられた伸縮性の弾性部材と、を有し、
前記弾性部材の伸縮率は２．０〜２．５倍の範囲である、請求項１から１４のいずれか１項に記載の吸収パッド。
【発明の詳細な説明】
【技術分野】
【０００１】
本発明は、おむつの内側に装着する吸収パッドに関する。
【背景技術】
【０００２】
特許文献１は、液体を吸収する吸収体を備えた使い捨ておむつを開示している。この使い捨ておむつの吸収体は、長手方向に延びる中央エンボス領域と、中央エンボス領域の両側に、中央エンボス領域との間に間隔を設けて形成された２つのサイドエンボス領域と、を有する。また、この使い捨ておむつは、吸収体よりも非肌面側に複数の弾性部材が設けられている。このような使い捨ておむつでは、着用時に、中央エンボス領域と各サイドエンボス領域との間の領域が屈曲し易くなる。これにより、使い捨ておむつは、特許文献１の図４に示すように、幅方向に略Ｍ字形に変形する。
【先行技術文献】
【特許文献】
【０００３】
【特許文献１】特開２００３−１８０７４４号公報
【発明の概要】
【発明が解決しようとする課題】
【０００４】
現在、おむつの内側に装着する吸収パッドが開発されている。このような吸収パッドは、液体の漏れを防止する観点から、着用者の身体にフィットするように変形することが好ましい。
【０００５】
特許文献１は、おむつの内側に装着する吸収パッドではなく、使い捨ておむつに関する発明を開示するのみであるが、使い捨ておむつの吸収体を幅方向に略Ｍ字形に変形し易くする構造を提供している。しかしながら、特許文献１は、使い捨ておむつの長手方向における変形については考慮されていない。また、特許文献１に記載の使い捨ておむつでは、吸収体よりも非肌面側に設けられた複数の弾性部材の収縮作用により、吸収体が長手方向に縮む。これにより、吸収体がたくれ、吸収体表面に凹凸ができ易くなり、吸収体と着用者の肌との間に隙間ができ易くなることがある。さらに、着用者が一度脚を閉じた後に脚を広げたとしても、弾性部材の収縮作用のせいで、吸収体が潰れた状態で維持され易く、元の形状に戻り難い。これにより、着用者が脚を広げたときに、使い捨ておむつが着用者の身体にフィットし難くなることがある。
【０００６】
上記のように、使い捨ておむつが着用者の身体にフィットしない場合、使い捨ておむつから液体が漏れ易くなることがある。したがって、長手方向においても着用中に身体にフィットし易い吸収パッドが望まれる。
【課題を解決するための手段】
【０００７】
一態様に係る吸収パッドは、おむつの内側に装着する吸収パッドに関する。吸収パッドは、長手方向と、前記長手方向に直交する幅方向と、表面シートと、裏面シートと、前記表面シートと前記裏面シートとの間に設けられ、吸収材料からなる吸収コアを含む吸収体と、前記裏面シートの非肌面側に、前記おむつに係止する係止部と、を有し、前記吸収体は、周縁領域と、前記周縁領域に囲まれた中央領域と、を有し、前記中央領域は、第１中央域と、前記長手方向における前記第１中央域の前後に配置された第２中央域と、を有し、前記第２中央域は、前記第１中央域及び前記周縁領域よりも低い剛性を有し、前記吸収体は、前記中央領域に対して前記幅方向に隣接する前記周縁領域と前記中央領域との境界で前記長手方向に沿って延び、前記第中央領域及び前記周縁領域の吸収材料よりも低い坪量の一対の低坪量領域と、前記中央領域に、前記吸収体の前記幅方向の中央で前記長手方向に延びた第１圧搾溝と、を有し、前記係止部は、前記長手方向において前記第１圧搾溝が形成された領域を避けて設けられている。
【発明の効果】
【０００８】
上記態様によれば、着用中に身体にフィットし易い吸収パッドを提供することができる。
【図面の簡単な説明】
【０００９】
【図１】図１は、一実施形態に係る吸収パッドの平面図である。
【図２】図２は、図１のＦ２−Ｆ２線に沿った吸収パッドの断面図である。
【図３】図３は、一実施形態に係る吸収体の平面図である。
【図４】図４は、図３とは反対側から見た吸収体の平面図である。
【図５】図５は、横方向外側から内側へ弱い力が加えられた状態時における吸収パッドの一変形状態を示す幅方向に沿った模式的断面図である。
【図６】図６は、横方向外側から内側へ強い力が加えられた状態における吸収パッドの別の形状状態を示す幅方向に沿った模式的断面図である。
【図７】図７は、横方向外側から内側へ強い力が加えられた状態における吸収パッドの一変形状態を示す長手方向に沿った模式的断面図である。
【図８】図８は、吸収パッドを装着するおむつの一例を示す斜視図である。
【図９】図９は、展開したおむつに装着した吸収パッドを示す平面図である。
【発明を実施するための形態】
【００１０】
本明細書及び添付図面の記載により、少なくとも以下の事項が明らかとなる。
おむつの内側に装着する吸収パッドであって、
長手方向と、
前記長手方向に直交する幅方向と、
表面シートと、
裏面シートと、
前記表面シートと前記裏面シートとの間に設けられ、吸収材料からなる吸収コアを含む吸収体と、
前記裏面シートの非肌面側に、前記おむつに係止する係止部と、を有し、
前記吸収体は、周縁領域と、前記周縁領域に囲まれた中央領域と、を有し、
前記中央領域は、第１中央域と、前記長手方向における前記第１中央域の前後 に配置された第２中央域と、を有し、
前記第２中央域は、前記第１中央域及び前記周縁領域よりも低い剛性を有し、
前記吸収体は、
前記中央領域に対して前記幅方向に隣接する前記周縁領域と前記中央領域との境界で前記長手方向に沿って延び、前記第中央領域及び前記周縁領域の吸収材料よりも低い坪量の一対の低坪量領域と、
前記中央領域に、前記吸収体の前記幅方向の中央で前記長手方向に延びた第１圧搾溝と、を有し、
前記係止部は、前記長手方向において前記第１圧搾溝が形成された領域を避けて設けられている、吸収パッド。
【００１１】
一対の低坪量領域は比較的薄い領域であるため、吸収パッドは、幅方向Ｗ外側から内側へ力を受けたときに、低坪量領域を基点に変形し易い。さらに、幅方向の中央で長手方向に延びた第１圧搾溝とその周りとの剛性差によって、吸収パッドの中央領域が、着用者の肌に向けて突出するように変形しやすい。したがって、一対の低坪量領域と第１圧搾溝によって、吸収体は、幅方向に沿った断面において、Ｗ字形に変形する（図５及び図６）。具体的には、非肌面側から施された第１圧搾溝が、幅方向Ｗ外側から内側へ力を受けたときに、肌面側へ突出することになる。この変形に伴い、一対の低坪量領域は、非肌面側に凸になるように変形する。その結果、吸収パッドは、図５及び図６に示すようなＷ字形に変形する。これにより、着用中に、吸収パッドが着用者の体にフィットし易くなる。
【００１２】
また、吸収パッドは、長手方向における第１中央域の前後に、第１中央域よりも剛性の低い第２中央域を有する。第２中央域は、第１中央域及び周縁領域よりも剛性が低い。したがって、長手方向における第２中央域の境界で、２カ所の剛性差が存在する。この２カ所の剛性差により、２カ所の曲がり基点が生じる。第２中央域の、第１中央域側の境界は、凸になっている領域（第１中央域）から周縁領域と同じ厚みになろうと斜めに傾斜する（図７）。さらに、第２中央域の、周縁領域側の境界は、周縁領域に繋がるような曲がり基点を形成し、身体に沿いやすいように変形する。これらによって、吸収パッドは、幅方向の中央部で、長手方向においても略Ｗ字形に変形し、身体の丸みに沿いやすくなっている。したがって、吸収パッドは、全体的に身体にフィットし易く、これにより液体の漏れを抑制することができる。
【００１３】
また、本実施形態では、身体により当たり易い領域、すなわち、股間部に当たり易い第１中央域と、腹又は背に当たり易い周縁領域とが、比較的剛性の高い領域となっている。着用者の身体に当たり易い領域の剛性を高くすることで、長時間使用しても、吸収体がよれ難くなっている。
【００１４】
さらに、吸収パッドは、裏面シートの非肌面側に、おむつに係止する係止部を有する。係止部は、長手方向Ｌにおいて第１圧搾溝が形成された領域を避けて設けられている。これにより、第１圧搾溝が形成された領域と、第１圧搾溝が形成された領域の幅方向Ｗ外側の領域とは、おむつに直接係止されない。したがって、係止部が吸収パッドの変形を阻害することを防止し、その結果、吸収パッドの体へのフィット性の低下を抑制することができる。
【００１５】
さらに、吸収パッドは、吸収体よりも非肌面側に、吸収パッドを収縮させる作用を有する弾性部材を有していないことが好ましい。これにより、吸収体及び吸収パッドが長手方向に縮みすぎることを抑制し、吸収体のたくれ、吸収体表面の凹凸、吸収体と着用者の肌との間の隙間を抑制することができる。また、着用者が一度脚を閉じた後に脚を広げたとしても、弾性部材の収縮作用が働かないため、吸収体が元の形状に戻り難い。これにより、着用者が脚を広げたときに、吸収パッドが着用者の身体にフィットし易くなり、その結果、液体の漏れを抑制することができる。
【００１６】
一実施形態によれば、前記第１圧搾溝は、前記第１中央域内に設けられており、前記長手方向において前記第１中央域の境界に達していない。図７に示すように、第１圧搾溝が設けられた領域は、幅方向の外側から内側へかかる力によって、立ち上がった状態になる。長手方向において第１圧搾溝の端部から第１中央域の端部までの領域は、第１圧搾溝の部分よりも剛性が低いため、立ち上がった領域から落ち込んだ領域へ移行する領域となり易い（図７）。このように、第１圧搾溝が長手方向において第１中央域の境界に達していないため、長手方向において、第１圧搾溝により立ち上がった領域の端部を凹ませるように変形し易くなる。
【００１７】
一実施形態によれば、前記低坪量領域は、実質的に前記吸収材料を含まない領域であってよい。これにより、低坪量領域とそのまわりの領域との間の厚みの差が大きくなり、低坪量領域に折り基点が生じ易い。したがって、幅方向の外側から内側へ力がかかったときに、吸収パッド及び吸収体が低坪量領域のところでより変形し易くなり、吸収パッドがより着用者の体によりフィットし易くなる（図５及び図６参照）。
【００１８】
一実施形態によれば、前記係止部は前記周縁領域に設けられていてよい。係止部が比較的剛性の高い周縁領域に設けられているため、係止部をおむつに押し当て易い。これにより、吸収パッドをおむつに固定し易くなる。
【００１９】
一実施形態によれば、前記周縁領域及び前記第１中央域において前記吸収体に格子状に形成された第２圧搾溝を有する。第２圧搾溝によって、周縁領域及び第１中央域の剛性を第２中央域の剛性よりも高めることができる。また、第２圧搾溝が格子状に形成されていることで、第２圧搾溝が曲がり基点となり、着用者の動作に合わせて吸収パッドが変形し易くなる。これにより、動作中もフィットし易い吸収パッドを提供することができる。
【００２０】
一実施形態によれば、前記第２圧搾溝は、前記長手方向から傾斜した方向に連続的に延びている。長手方向から傾斜した方向に連続的に延びる格子状の第２圧搾溝によって、斜め方向に沿った曲がり基点が生じる。これにより、着用者の脚の動きによって吸収体がねじれたとしても、吸収パッドが身体に追従しやすくなる。その結果、着用者の動作中にも吸収パッドを身体にフィットさせ易くすることができる。
【００２１】
一実施形態によれば、前記第２圧搾溝は、前記吸収体の非肌面側のみに形成されている。これにより、吸収体の肌面側の一面がなるべく平坦になり、着用者に心地よい吸収パッドを提供することができる。
【００２２】
一実施形態によれば、前記第２圧搾溝は、少なくとも前記係止部が設けられた領域において前記長手方向に沿って延びている。係止部自体は、剛性が一定であるため、係止部自体に曲げ基点になり易い部分がない。しかしながら、係止部と重複する領域に形成された第２圧搾溝は曲げ基点になり易く、これにより係止部が設けられた領域が着用者の身体に沿って曲がり易くなっている。したがって、係止部の剛性が比較的高くても、係止部が設けられた領域において、着用者の身体に沿って吸収パッドをフィットさせ易くなる。
【００２３】
一実施形態によれば、前記第２圧搾溝は、互いに交差する斜め方向に連続的に延びた溝を有し、前記溝の交点が、前記低坪量領域からずれて配置されている。これにより、低坪量領域の境界に溝の交点が位置する場合と比較すると、低坪量領域の境界に位置する溝の縁の数が約２倍に増える。これにより、低坪量領域と、周縁領域又は中央領域との間の剛性差が高まり、低坪量領域の縁がより曲がり基点となり易い。
【００２４】
一実施形態によれば、前記係止部は、前記幅方向において、前記吸収パッドの中心から前記一対の低坪量領域の外側まで延びている。吸収パッドに幅方向の外側から内側へ力がかかったとき、一対の低坪量領域及び第１圧搾溝の変形により、吸収パッドは、股下のところで幅方向に縮むように変形する。吸収パッドの股下の領域のこの変形と着用者の脚の動きとにより、吸収パッドの長手方向における前側及び後側の領域が丸まるように変形することがある。本実施形態では、係止部が一対の低坪量領域の外側まで延びているので、吸収パッドの長手方向における前側及び後側の領域を幅方向に広い領域でしっかりとおむつに固定することができる。これにより、吸収パッドを、着用者の腹及び背の領域にフィットさせ易くすることができる。
【００２５】
一実施形態によれば、前記第２中央域は、平面視において、前記長手方向において前記第１中央域から離れる方に凸状の形状を有する。図７に示すように第１中央域が立ち上がった状態（着用状態）において、第１中央域よりも剛性の低い第２中央域が平面視において長手方向に凸状に湾曲していることで、第２領域よりも前側及び後側の領域が長手方向に沿った中心軸まわりに回転するような変形をし易くなる。これにより、着用中に、着用者の身体に沿って吸収パッドをフィットさせ易くなる。
【００２６】
一実施形態によれば、前記幅方向における前記低坪量領域の幅は、前記周縁領域における前記吸収体の厚みよりも大きい。これにより、装着時に吸収パッドが幅方向外側から内側へ強い力を受けたとき、吸収体３０の周縁領域が中央領域の吸収コアの下に入り込む（図６参照）。したがって、吸収パッドの全幅が小さくなりながら、中央領域の吸収体が体にフィットするように変形し得る。低坪量領域の幅が周縁領域における吸収体の厚みよりも大きいため、吸収パッドがこのように変形しても、吸収パッド全体の厚みが大きくなりすぎない。その結果、着用者の違和感を軽減することができる。
【００２７】
また、吸収パッドが幅方向Ｗの外側から内側へ強い力を受けたとき、吸収体の周縁領域が中央領域の吸収コアの下により入り込み易くする観点から、幅方向Ｗにおける低坪量領域の幅は、周縁領域における吸収体の厚みと、中央領域における吸収体の厚みとの合計値よりも大きいことが好ましい。
【００２８】
一実施形態によれば、前記低坪量領域よりも前記長手方向の外側において、前記周縁領域と前記中央領域との境界は、前記長手方向の外側に向かうにつれて前記幅方向の内側に直線状に傾斜している。このように、周縁領域の境界が曲線状になっているよりも直線状になっている方が、周縁領域の境界が折り基点になり易く、吸収パッドの中央領域が着用者の体にフィットするように変形し易くなる。また、周縁領域の境界で吸収パッドがきれいに折れ曲がるため、着用者の違和感を軽減することができる。
【００２９】
一実施形態によれば、前記幅方向における前記吸収パッドの幅は、前記おむつの股下域に配置された吸収体の幅方向における最小幅よりも大きい。これにより、吸収パッドがおむつに装着されたとき、吸収パッドの幅方向Ｗ外側の両端部が、股下域において、おむつの吸収体の幅方向Ｗの外側へはみ出す。着用者の両脚の間に挟まれることによって着用者の脚から幅方向Ｗの内側へ横から受けた力は、おむつの股下域に配置された吸収体よりも先に吸収パッドに伝わる。そのため、吸収パッドの変形が促進され、吸収パッドが体にフィットするので、吸収パッドとおむつを重ねて着用していても着用者に違和感を与えにくい。
【００３０】
また、股下域において、おむつの吸収体よりも幅が広い領域まで吸収パッドが存在することになるので、液体がおむつ１にまで漏れ難くなる。これにより、おむつを交換することなく、吸収パッドのみを何度も交換すればよいという利点がある。
【００３１】
一実施形態によれば、前記吸収パッドは、前記幅方向における前記表面シートの外側部を覆うサイドシートと、前記サイドシートに取り付けられた伸縮性の弾性部材と、を有し、前記弾性部材の伸縮率は２．０〜２．５倍の範囲である。弾性部材の収縮作用により、サイドシートが立ち上がり、液体の横漏れを抑制することができる。また、弾性部材の伸縮率が２．０〜２．５倍と比較的低いため、吸収体及び吸収パッド全体が長手方向に縮む量を抑制することができる。このように、吸収体及び吸収パッド全体が長手方向に縮みすぎることを防止することで、吸収体がたくれ、吸収体表面の凹凸、吸収体と着用者の肌との間に隙間をより抑制することができる。
【００３２】
以下、図面を参照して、一実施形態に係る吸収パッドの詳細について説明する。本発明の吸収パッドは、例えば、使い捨ておむつの内側に装着する吸収パッドに関する。使い捨ておむつは、大人用のおむつであってよい。
【００３３】
なお、以下の図面の記載において、同一又は類似の部分には、同一又は類似の符号を付している。ただし、図面は模式的なものであり、各寸法の比率等は現実のものとは異なることがあることに留意すべきである。したがって、具体的な寸法等は、以下の説明を参酌して判断すべきである。また、図面相互間においても互いの寸法の関係や比率が異なる部分が含まれ得る。
【００３４】
（１）吸収パッドの構成
図１は、一実施形態に係る吸収パッドの平面図である。図１は、伸長させた状態の吸収パッドを示している。図２は、図１のＦ２−Ｆ２線に沿った吸収パッドの断面図である。図３は、着用者の肌に対向する肌面側から見た、吸収パッドに備えられた吸収体の平面図である。図４は、図３とは反対側から見た吸収体の平面図である。
【００３５】
吸収パッド１０は、長手方向Ｌ及び幅方向Ｗを有する。長手方向Ｌは、着用者の前側（腹側）から後側（背側）に延びる方向、又は着用者の後側から前側に延びる方向である。幅方向Ｗは、長手方向Ｌと直交する方向である。以下、使用時に着用者の肌に面する側を、「肌面側」と呼ぶことがある。また、使用時に着用者の肌とは反対に向けられる側を、「非肌面側」と呼ぶことがある。
【００３６】
吸収パッド１０は、表面シート２０、裏面シート２２及び吸収体３０を有する。表面シート２０は、吸収パッド１０の着用時に、着用者の肌に面する。表面シート２０は吸収体３０を覆っている。表面シート２０は、液透過性のシートから構成されていてよい。
【００３７】
裏面シート２２は、吸収パッド１０の着用時に、着用者の肌とは反対側へ向けられ、使い捨ておむつに面する。裏面シート２２は、液不透過性のシートから構成されていてよい。
【００３８】
吸収パッド１０は、サイドシート５０及び弾性部材５２を有していてもよい。サイドシート５０は、裏面シート２２の非肌面側から、吸収パッド１０の幅方向Ｗの外側縁を通って、表面シート２０側へ延びている。幅方向Ｗにおけるサイドシート５０の内側部は、表面シート２０側で折り返されている。これにより、サイドシート５０は弾性部材５２を包んでいる。弾性部材５２は、長手方向Ｌに伸長した状態でサイドシート５０に取り付けられる。弾性部材５２は外力が働いていない状態で収縮した状態になり、これによって、サイドシート５０の表面シート２０側に、起立性のギャザーが構成される。この起立性のギャザーによって液体の横漏れを抑制することができる。
【００３９】
弾性部材５２は、幅方向Ｗの中心を挟んで両側に少なくとも１本ずつ設けられている。図２に示すように、弾性部材５２は、幅方向Ｗの中心を挟んで両側に１本ずつ設けられていることが好ましい。これにより、弾性部材５２の収縮力が強くなり過ぎることを抑制することができる。
【００４０】
弾性部材５２の伸張率は、２．０倍〜２．５倍の範囲であることが好ましい。このように弾性部材５２の伸縮率が比較的低いため、吸収体３０及び吸収パッド１０全体が長手方向Ｌに縮む量を抑制することができる。このように、吸収体３０及び吸収パッド１０全体が長手方向Ｌに縮みすぎることを防止することで、吸収体３０がたくれ、吸収体３０表面の凹凸、吸収体３０と着用者の肌との間に隙間をより抑制することができる。
【００４１】
本明細書では、弾性部材の「伸長率」は、以下のように定義される。
伸長率＝（伸長状態の弾性部材の長さ）÷（自然状態の弾性部材の長さ）
【００４２】
なお、本明細書において、かかる伸長率は、例えば、次のように測定されるものとする。第１に、吸収パッド１０の起立性のギャザーの配置領域を切り出す。切り出した後の起立性のギャザーのサンプルの伸長率を測定し、弾性部材５２の伸長率を計測する。
【００４３】
切り出した各サンプルについて、２０℃±２℃、相対湿度６０％±５％ＲＨの雰囲気下において６０分間放置し、伸縮方向に沿ってサンプルの長さを測定する。この長さを、「自然状態のレッグ伸縮部の長さ」とする。
【００４４】
第２に、かかる状態（すなわち、自然状態）における所望領域の伸縮方向における長さ、及び、自然状態から弾性部材による皺がサイドシート上に目視にて確認できない状態まで延伸した時の所望領域の伸縮方向における長さを測定する。この長さを、「伸長状態における弾性部材の長さ」とする。
これら測定結果を用い、上述の式にて算出することで伸長率が測定される。
【００４５】
吸収パッド１０は、図２に示すように、吸収体３０よりも非肌面側に、吸収パッド１０を収縮させる作用を有する弾性部材を有していないことが好ましい。これにより、吸収体３０及び吸収パッド１０が長手方向Ｌに縮みすぎることを抑制し、吸収体３０のたくれ、吸収体３０表面の凹凸、吸収体３０と着用者の肌との間の隙間を抑制することができる。また、着用者が一度脚を閉じた後に脚を広げたとしても、弾性部材５２の収縮作用が働かないため、吸収体３０が元の形状に戻り難い。これにより、着用者が脚を広げたときに、吸収パッド１０が着用者の身体にフィットし易くなり、その結果、液体の漏れを抑制することができる。
【００４６】
吸収体３０は、表面シート２０と裏面シート２２との間に設けられる。吸収体３０は、吸収材料からなる吸収コア３２を含む。吸収コア３２を構成する吸収材料は、例えば、親水性繊維、パルプ及び高吸水性高分子（ＳＡＰ）から形成できる。吸収体３０は、吸収コア３２を包むコアラップ３４を有する。コアラップ３４は、例えば不織布又はティッシュシートから構成することができる。
【００４７】
吸収コア３２は単層構造であることが好ましい。言い換えると、吸収パッド１０を伸長させた状態及び吸収パッド１０の自然状態において、各領域の吸収コア３２は、厚み方向において互いに重なることなく配置されている。これにより、吸収体３０の厚みを抑制することができる。特に、吸収パッド１０は、使用時におむつに装着されるため、履き心地の観点からできるだけ薄いことが好ましい。また、吸収コア３２が複数の吸収層を有していると、幅方向Ｗ外側から力を受けたときに、吸収体３０の変形にともなって吸収層どうしの間に隙間が生じてしまうことがある。したがって、吸収体の形状を安定的に維持するという観点からも、吸収コア３２は単層であることが好ましい。
【００４８】
吸収体３０は、中央領域Ｃ及び周縁領域Ｐを有する。中央領域Ｃは、吸収体３０の中心を含み、吸収体３０の縁を含まない領域である。吸収パッドの着用時に、中央領域Ｃは着用者の股下に位置する。周縁領域Ｐは、中央領域Ｃを取り囲む領域であり、吸収体３０の縁を含んでいる。
【００４９】
中央領域Ｃは、第１中央域Ｃ１と、長手方向Ｌにおける第１中央域Ｃ１の前後に配置された第２中央域Ｃ２と、を有する。第２中央域Ｃ２は、第１中央域Ｃ１及び周縁領域Ｐよりも低い剛性を有する。
【００５０】
ここで、本明細書において、剛性値は、ガーレ剛軟度によって測定された値をサンプル片の長さで割った値として規定される。ガーレ剛軟度の測定には、Ｎｏ．３１１ガーレー式柔軟度試験機（安田精機製作所社製）を使用する。本試験機は、ＪＩＳ−Ｌ１０９６に準拠している。本試験機は、サンプル片の柔軟度（曲げ反発性）を測定する試験機である。まず、サンプル片を可動アームのチャックに取り付け、左右に規定の速さで回転させて、サンプル片下端が振子から離れた時の目盛を読み取り、剛軟度Ｓ（ｍＮ）を以下の式に基づいて算出する。
Ｓ＝Ｒ×（Ｄ１Ｗ１＋Ｄ２Ｗ２＋Ｄ３Ｗ３）×（Ｌ−１２．７）２／ｂ×３．３７５×１０−５。
【００５１】
ここで、Ｒは目盛板の読みであり、Ｄ１，Ｄ２，Ｄ３は振子支点からおもり取付位置までの距離（２５．４ｍｍ（１ｉｎ．），５０．８ｍｍ（２ｉｎ．），１０１．６ｍｍ（４ｉｎ．））であり、Ｗ１，Ｗ２，Ｗ３はＤ１，Ｄ２，Ｄ３の孔に取り付けたおもりの質量（ｇ）であり、Ｌはサンプル片の長さ（ｍｍ）であり、ｂはサンプル片の幅（ｍｍ）である。
【００５２】
本明細書において、サンプル片は、吸収パッド１０の吸収体を、長手方向３８ｍｍ、幅方向１７．５ｍｍの直方体に切り出したものを採用する。この場合、サンプル片の長さＬは３８ｍｍであり、サンプル片の幅ｂは１７．５ｍｍである。こうして、サンプル片の長さ３８ｍｍあたりのガーレ剛軟度（ｍＮ）が測定される。なお、サンプル片の長さ方向としては、例えば、吸収パッド１０の長手方向（製造時の搬送方向（ＭＤ方向））が挙げられるが、これに限定されるものではない。
【００５３】
周縁領域Ｐにおける吸収体３０の剛性を高めるため、周縁領域Ｐにおける吸収体３０に、第２圧搾溝４６が形成されていることが好ましい。第２圧搾溝４６は、周縁領域Ｐにおいて全体的に設けられていてよい。本実施形態では、第２圧搾溝４６は、吸収体３０の非肌面側に格子状に形成されている。より具体的には、第２圧搾溝４６は、第１の方向と、第１の方向に交差する第２の方向と、に沿って、直線状に形成されていてよい。第１の方向及び第２の方向は、長手方向Ｌに対して傾斜した方向である。
【００５４】
第２圧搾溝４６によって、周縁領域Ｐ及び第１中央域Ｃ１の剛性を第２中央域Ｃ２の剛性よりも高めることができる。また、第２圧搾溝４６が格子状に形成されていることで、第２圧搾溝４６が曲がり基点となり、着用者の動作に合わせて吸収パッドが変形し易くなる。これにより、動作中もフィットし易い吸収パッドを提供することができる。
【００５５】
第２圧搾溝４６は、長手方向Ｌから傾斜した方向に連続的に延びていることが好ましい。長手方向Ｌから傾斜した方向に連続的に延びる格子状の第２圧搾溝４６によって、斜め方向に沿った曲がり基点が生じる。これにより、着用者の脚の動きによって吸収体がねじれたとしても、吸収パッドが身体に追従しやすくなる。その結果、着用者の動作中にも吸収パッドをより身体にフィットさせ易くすることができる。
【００５６】
第２圧搾溝４６は、吸収体３０の非肌面側に施されている。これにより、吸収体３０の肌面側の一面がなるべく平坦になり、着用者に心地よい吸収パッドを提供することができる。また、より心地よい吸収パッドを提供するため、吸収体３０の肌面側には、圧搾溝が施されていないことが好ましい。
【００５７】
第２圧搾溝４６は、少なくとも後述する係止部９０が設けられた領域において長手方向Ｌに沿って延びていることが好ましい。係止部９０自体は、剛性が一定であるため、係止部９０自体に曲げ基点になり易い部分がない。しかしながら、係止部９０と重複する領域に形成された第２圧搾溝４６は曲げ基点になり易く、これにより係止部９０が設けられた領域が着用者の身体に沿って曲がり易くなっている。したがって、係止部９０の剛性が比較的高くても、係止部９０が設けられた領域において、着用者の身体に沿って吸収パッドをフィットさせ易くなる。
【００５８】
第２圧搾溝４６は、互いに交差する斜め方向に連続的に延びた複数の溝を有し、これらの溝の交点が低坪量領域４２からずれて配置されていてよい。これにより、低坪量領域４２の境界に溝の交点が位置する場合（図４に示す場合）と比較すると、低坪量領域４２の境界に位置する溝の縁の数が約２倍に増える。これにより、低坪量領域４２と、周縁領域Ｐ又は中央領域Ｃとの間の剛性差が高くなり、低坪量領域Ｐの縁がより曲がり基点となり易い。
【００５９】
後述する低坪量領域４２よりも長手方向Ｌの外側において、周縁領域Ｐと中央領域Ｃとの境界は、長手方向Ｌの外側に向かうにつれて幅方向Ｗの内側に直線状に傾斜していることが好ましい。ここで、周縁領域Ｐと中央領域Ｃとの境界は、第２圧搾溝４６により規定されている。周縁領域Ｐの境界が曲線状になっているよりも直線状になっている方が、周縁領域Ｐの境界４４ｂが折り基点になり易く、吸収パッド１０の中央領域Ｃが着用者の体にフィットするように変形し易くなる。また、周縁領域Ｐの境界４４ｂで吸収パッド１０がきれいに折れ曲がるため、着用者の違和感を軽減することができる。
【００６０】
吸収体３０は、第１圧搾溝４０及び一対の低坪量領域４２を有する。第１圧搾溝４０は、中央領域Ｃにおいて、吸収体３０の非肌面側に施されている。第１圧搾溝４０は、幅方向Ｗの中央で、長手方向Ｌに延びている。長手方向Ｌにおける第１圧搾溝４０の長さは、長手方向Ｌにおける一対の低坪量領域４２の長さより短くてよい。
【００６１】
一対の低坪量領域４２は、長手方向Ｌに沿って延びている。一対の低坪量領域４２は、中央領域Ｃに対して幅方向Ｗに隣接する周縁領域Ｐと中央領域Ｃとの境界に設けられている。
【００６２】
低坪量領域４２は、中央領域Ｃ及び周縁領域Ｐにおける吸収コア３２の坪量（目付）よりも低い坪量の吸収コアからなる領域、又は実質的に吸収コアを含まない領域によって定義される。低坪量領域４２は、０〜２００ｇ／ｍ２の坪量の吸収コアを含む領域であってよい。低坪量領域４２は、好ましくは１５０ｇ／ｍ２以下、より好ましくは１００ｇ／ｍ２以下の坪量の吸収コアを含む領域である。
低坪量領域４２は、吸収パッド１０の剛性が変化する境目となる。したがって、低坪量領域４２は、吸収パッド１０が変形し易い領域に相当する。
【００６３】
低坪量領域４２は実質的に吸収材料を含まない領域であってもよい。すなわち、低坪量領域４２は、吸収コア３２の坪量が零の領域を含む概念である。ここで、実質的に吸収コアを含まない領域は、吸収コア３２を構成する吸収材料を設計上含まない領域を意味している。言い換えると、実質的に吸収コアを含まない領域は、製造時に微量の吸収材料が混入した領域を含む概念であり、低坪量領域４２に隣接する第２中央域Ｃ２の坪量の５％以下の吸収材料を含んでいてもよい概念として定義される。
【００６４】
低坪量領域４２は実質的に吸収材料を含まない領域である場合、低坪量領域４２とそのまわりの領域との間の厚みの差が大きくなり、低坪量領域４２が曲がり基点になり易い。したがって、幅方向Ｗの外側から内側へ力がかかったときに、後述するように、吸収パッド１０及び吸収体３０が低坪量領域４２のところでより変形し易くなる（図５及び図６参照）。したがって、吸収パッド１０がより着用者の体にフィットし易くなる。さらに、低坪量領域４２は実質的に吸収材料を含まない領域である場合、折り目が付きやすいので、一度折れ曲がった形状を保持しやすく、図５及び図６に示すような変形をし易くなる。
【００６５】
また、低坪量領域４２が実質的に吸収材料を含まない領域である場合、吸収コア３２を包むコアラップ３４の肌面側の部分が、低坪量領域４２において、吸収コア３２を包むコアラップ３４の非肌面側の部分と接合されていることが好ましい。これにより、コアラップ３４は、吸収コア３２（吸収材料）をしっかりと包むことができるので、吸収体の変形（よれ）を抑制することができる。
【００６６】
幅方向Ｗにおける低坪量領域４２の幅Ｗ１は、周縁領域Ｐにおける吸収体３０の厚みＴ２よりも大きいことが好ましい。幅方向Ｗにおける低坪量領域４２の幅は、好ましくは１０〜２５ｍｍ、より好ましくは１５ｍｍである。
【００６７】
一対の低坪量領域４２間の距離Ｗ２は、長手方向Ｌの中心位置で幅方向Ｗにおける周縁領域Ｐの幅の合計（Ｗ３＋Ｗ３）よりも短いことが好ましい。これにより、装着時に吸収パッド１０に幅方向Ｗ外側から弱い力がかかったとき、吸収パッド１０は、図５に示すように、幅方向Ｗに沿った断面で略Ｗ字形に変形する。吸収パッド１０が略Ｗ字形に変形したときに、周縁領域Ｐの高さが十分に高くなるため、吸収パッド１０の幅方向Ｗ外側からの液体の漏れをより防止することができる。一対の低坪量領域４２間の距離は、例えば４５〜６５ｍｍであってよい。
なお、本明細書で説明した「長さ」、「幅」及び「距離」は、吸収パッド１０を皺がなくなるまで伸張させた状態で測定した数値である。
【００６８】
吸収コア３２は、好ましくは、低坪量領域４２が設けられた長手方向Ｌの範囲内において、幅方向Ｗにおける吸収パッド１０の縁まで延びている。吸収コア３２が存在する領域は、吸収パッド１０のなかで比較的剛性が高い領域である。すなわち、比較的剛性の高い領域が、吸収パッド１０の幅方向Ｗの縁部まで延びている。これにより、吸収パッド１０の幅方向Ｗの縁部から幅方向内側へ向いた力が加えられたとき、その力が効率的に、一対の低坪量領域４２や中央領域Ｃに伝わる。これにより、吸収パッド１０は、後述するように、使用時に着用者の体にフィットするようにより変形し易くなる。
【００６９】
なお、本実施形態において、吸収コア３２は、少なくとも低坪量領域４２が設けられた長手方向Ｌの範囲内において、長手方向Ｌに沿った直線状の外形線を有している。
【００７０】
吸収パッド１０は、裏面シート２２の非肌面側に、おむつに係止する係止部９０を有していてもよい。図１では、係止部９０が点線によって透視的に示されている。係止部９０は、好ましくは、長手方向Ｌにおいて第１圧搾溝４０が形成された領域を避けて設けられている。これにより、第１圧搾溝４０が形成された領域と、第１圧搾溝４０が形成された領域の幅方向Ｗ外側の領域とは、おむつに直接係止されない。したがって、係止部９０が、比較的変形し易い第１圧搾溝４０の領域の変形を阻害することを防止し、その結果、吸収パッド１０の体へのフィット性の低下を抑制することができる。
【００７１】
係止部９０は周縁領域Ｐに設けられていてよい。係止部９０が比較的剛性の高い周縁領域Ｐに設けられているため、係止部９０をおむつに押し当て易い。これにより、吸収パッドをおむつに固定し易くなる。
【００７２】
係止部９０は、幅方向Ｗにおいて、吸収パッド１０の中心から一対の低坪量領域４２の外側まで延びている。吸収パッドに幅方向Ｗの外側から内側へ力がかかったとき、一対の低坪量領域４２及び第１圧搾溝４０の変形により、吸収パッドは、股下のところで幅方向Ｗに縮むように変形する。吸収パッドの股下の領域の変形と着用者の脚の動きとより、吸収パッドの長手方向における前側及び後側の領域が丸まるように変形することがある。本実施形態では、係止部９０が一対の低坪量領域４２の外側まで延びているので、吸収パッドの長手方向Ｌにおける前側及び後側の領域を幅方向に広い領域でしっかりとおむつに固定することができる。これにより、吸収パッドを、着用者の腹及び背の領域にフィットさせ易くすることができる。
【００７３】
表面シート２０及び吸収体３０は、図２のように吸収パッド１０の中央部分、例えば少なくとも長手方向Ｌに沿って中央領域Ｃが存在する範囲において、幅方向Ｗの外側端部まで延在している。これにより、吸収体３０の厚みを薄くしても、吸収パッド１０の幅方向Ｗの外側端部まで拡散した尿等の液体を吸収することができるので、吸収パッド１０から液体が漏れにくい。また、表面シート２０及び吸収体３０が幅方向Ｗの外側端部まで延在しているので、吸収パッド１０の幅方向Ｗの外側端部まで比較的高い剛性が維持され、その結果、吸収パッド１０の横から受ける力が中央領域Ｃに伝わりやすい。
【００７４】
（２）着用中の吸収パッド
次に、図５、図６及び図７を参照し、着用中の吸収パッド１０の形状の例について説明する。図５は、吸収パッドが幅方向Ｗにおける外側から内側へ弱い力を受けたときの吸収パッドの変形を示している。図６は、吸収パッドが幅方向Ｗにおける外側から内側へ強い力を受けたときの吸収パッドの変形を示している。図５及び図６は、吸収パッドの幅方向に沿った断面を示している。図７は、吸収パッドの長手方向に沿った断面を示している。なお、図７では、図の簡略化のため、第２圧搾溝４６は示されていない。
【００７５】
吸収パッド１０は、使用中に、着用者の両脚によって挟まれ、幅方向Ｗにおける外側から内側に向かう力を受ける。吸収パッド１０が幅方向Ｗに弱い力を受けた場合、周辺領域Ｐの幅方向Ｗにおける外側部分が上方に上がりつつ、周辺領域Ｐが中央領域Ｃへ向けて移動しようとする（図５参照）。第１中央域Ｃ１は、周辺領域Ｐによって押されることで、着用者の肌に向けて凸状に変形する。このとき、第１中央域Ｃの非肌面側に第１圧搾溝４０が形成されているため、吸収体３０は着用者の肌に向けて凸状に変形し易い。
【００７６】
一対の低坪量領域４２は比較的薄い領域であるため、吸収パッド１０は、幅方向Ｗ外側から内側へ力を受けたときに、低坪量領域４２を基点に変形し易い。したがって、一対の低坪量領域４２と第１圧搾溝４０によって、吸収体は、幅方向に沿った断面において、Ｗ字形に変形する（図５及び図６）。具体的には、非肌面側から施された第１圧搾溝４０が、幅方向Ｗ外側から内側へ力を受けたときに、肌面側へ突出することになる。この変形に伴い、一対の低坪量領域４２は、非肌面側に凸になるように変形する。その結果、吸収パッドは、図５及び図６に示すようなＷ字形に変形する。これにより、着用中に、吸収パッドが着用者の体にフィットし易くなる。
【００７７】
また、吸収パッドは、長手方向における第１中央域の前後に、第１中央域Ｃ１よりも剛性の低い第２中央域Ｃ２を有する。第２中央域Ｃ２は、第１中央域Ｃ１及び周縁領域Ｐよりも剛性が低い。したがって、長手方向における第２中央域Ｃ２の境界で、２カ所の剛性差が存在する。この２カ所の剛性差により、２カ所の曲がり基点が生じる。第２中央域Ｃ２の、第１中央域Ｃ１側の境界は、凸になっている領域（第１中央域Ｃ１）から周縁領域Ｐと同じ厚みになろうと斜めに傾斜する（図７）。さらに、第２中央域Ｃ２の、周縁領域Ｐ側の境界は、周縁領域Ｐに繋がるような曲がり基点を形成し、身体に沿いやすいように変形する。これらによって、吸収パッドは、幅方向の中央部で、長手方向においても略Ｗ字形に変形し、身体の丸みに沿いやすくなっている。したがって、吸収パッドは、全体的に身体にフィットし易く、これにより液体の漏れを抑制することができる。
【００７８】
第１圧搾溝４０は、第１中央域Ｃ１内に設けられており、長手方向Ｌにおいて第１中央域Ｃ１の境界に達していないことが好ましい。前述したように、図７に示すように、第１圧搾溝４０が設けられた領域は、幅方向Ｗの外側から内側へかかる力によって、立ち上がった状態になる。長手方向Ｌにおいて第１圧搾溝４０の端部から第１中央域Ｃ１の端部までの領域Ｃ１ａは、第１圧搾溝４０の部分よりも剛性が低いため、立ち上がった領域から落ち込んだ領域へ移行する領域となり易い（図７）。このように、第１圧搾溝４０が長手方向Ｌにおいて第１中央域Ｃ１の境界に達していないため、長手方向Ｌにおいて、第１圧搾溝４０により立ち上がった領域の端部を凹ませるように変形し易くなる。
【００７９】
装着時に吸収パッド１０が幅方向Ｗ外側から内側へ強い力を受けたとき、吸収体３０の周縁領域Ｐは、比較的剛性が高いためその形状を維持しながら中央領域Ｃの吸収コア３２の下に入り込み易い（図６参照）。したがって、吸収パッド１０の全幅が小さくなりながら、中央領域Ｃの吸収体３０が体にフィットするように変形し得る。低坪量領域４２の幅Ｗ１が周縁領域Ｐにおける吸収体３０の厚みＴ２よりも大きいため、吸収パッド１０がこのように変形しても、吸収パッド１０全体の厚みが大きくなりすぎないという利点がある。
【００８０】
また、吸収パッド１０が幅方向Ｗの外側から内側へ強い力を受けたとき、吸収体３０の周縁領域Ｐが中央領域Ｃの吸収コア３２の下により入り込み易くする観点から、幅方向Ｗにおける低坪量領域４２の幅Ｗ１は、周縁領域Ｐにおける吸収体３０の厚みＴ２と、中央領域Ｃにおける吸収体３０の厚みＴ１との合計値よりも大きいことが好ましい。
【００８１】
また、第２中央域Ｃ１は、平面視において、長手方向Ｌにおいて第１中央域Ｃ１から離れる方に凸状の形状を有することが好ましい（図４参照）。図７に示すように第１中央域Ｃ１が立ち上がった状態（着用状態）において、第１中央域Ｃ１よりも剛性の低い第２中央域Ｃ２が平面視において長手方向に凸状に湾曲していることで、第２領域よりも前側及び後側の領域が長手方向に沿った中心軸まわりに回転するような変形をし易くなる。これにより、着用中に、着用者の身体に沿って吸収パッドをフィットさせ易くなる。
【００８２】
（３）吸収パッドが装着される使い捨ておむつ
図８は、吸収パッドを装着するおむつの一例を示す斜視図である。図９は、展開したおむつに装着した吸収パッドを示す平面図である。図９は、伸長させた状態の吸収パッド及びおむつを示している。使い捨ておむつは、例えば大人用のおむつであってよい。
【００８３】
使い捨ておむつ１は、一例としてパンツタイプの構造を有していてよい。使い捨ておむつ１は、着用者の胴回りに当てられる胴回り領域と、着用者の股下に当てられる股下域と、を有する。前胴回り領域の幅方向Ｗ外側に位置する胴回り縁部４，４’が、後胴回り領域Ｓ２の横方向Ｗの外側に位置する後胴回り縁部６，６’とそれぞれ接合されることによって、使い捨ておむつ１がパンツ型に形成される。使い捨ておむつ１は、パンツ型に形成された状態で、着用者の脚回りを囲む一対の脚回り開口部９を有する。股下域は、一対の脚回り開口部９間の領域である。
【００８４】
使い捨ておむつ１は、吸収性本体１Ａを含む。吸収性本体１Ａは、表面シート、裏面シート、及び表面シートと裏面シートとの間の吸収体１３０を含んでいてよい。吸収体１３０は、少なくとも股下域に設けられている。吸収体１３０は、粉砕パルプや高吸収性ポリマーなどの混合粉体で形成されていてよい。
【００８５】
上述した吸収パッド１０は、使い捨ておむつ１の股下域に装着される。着用者が排泄を行った後、吸収パッド１０のみを取り換えることができる。これにより、使い捨ておむつを長期に使用することができる。
【００８６】
幅方向Ｗにおける吸収パッド１０の幅Ｗ４は、おむつの股下域に配置された吸収体１３０の幅方向Ｗにおける最小幅Ｗ５よりも大きいことが好ましい。これにより、吸収パッド１０がおむつに装着されたとき、吸収パッド１０の幅方向Ｗ外側の両端部が、股下域において、おむつの吸収体１３０の幅方向Ｗの外側へはみ出す。着用者の両脚の間に挟まれることによって着用者の脚から幅方向Ｗの内側へ横から受けた力は、おむつの股下域に配置された吸収体１３０よりも先に吸収パッド１０に伝わる。そのため、吸収パッド１０の変形が促進され、吸収パッド１０が体にフィットするので、吸収パッド１０とおむつを重ねて着用していても着用者に違和感を与えにくい。
【００８７】
また、股下域において、おむつ１の吸収体１３０よりも幅が広い領域まで吸収パッド１０が存在することになるので、液体がおむつ１にまで漏れ難くなる。これにより、おむつを交換することなく、吸収パッド１０のみを何度も交換すればよいという利点がある。
【００８８】
使い捨ておむつ１の吸収体１３０には、圧搾部１３２が形成されていてよい。圧搾部１３２は、長手方向Ｌに沿って延びている。圧搾部１３２は、使い捨ておむつ１に、幅方向における外側から内側へ力がかかったときに、使い捨ておむつの変形の基点となり易い。
【００８９】
圧搾部１３２は、吸収パッド１０の低坪量領域４２に少なくとも部分的に重複していることが好ましい。すなわち、吸収パッド１０の低坪量領域４２における曲がり基点と、使い捨ておむつ１の圧搾部１３２における曲がり基点とが、ほぼ同じ位置に配置される。したがって、幅方向における外側から内側へ力がかかったときに、おむつ１と吸収パッド１０の両方が、低坪量領域４２のところで図５，６に示すように変形し易くなるという利点がある。
【００９０】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【符号の説明】
【００９１】
１０      吸収パッド
２０      表面シート
２２      裏面シート
３０      吸収体
３２      吸収コア
４０      第１圧搾溝
４２      低坪量領域
４６      第２圧搾溝
９０      係止部
Ｃ        中央領域
Ｃ１      第１中央域
Ｃ２      第２中央域
Ｐ        周辺領域
Ｌ        長手方向
Ｗ        横方向
【図１】
2017153703.tif 000003
【図２】
2017153703.tif 000004
【図３】
2017153703.tif 000005
【図４】
2017153703.tif 000006
【図５】
2017153703.tif 000007
【図６】
2017153703.tif 000008
【図７】
2017153703.tif 000009
【図８】
2017153703.tif 000010
【図９】
2017153703.tif 000011
【手続補正書】
【提出日】平成28年10月18日(2016.10.18)
【手続補正１】
【補正対象書類名】特許請求の範囲
【補正対象項目名】全文
【補正方法】変更
【補正の内容】
【特許請求の範囲】
【請求項１】
おむつの内側に装着する吸収パッドであって、
長手方向と、
前記長手方向に直交する幅方向と、
表面シートと、
裏面シートと、
前記表面シートと前記裏面シートとの間に設けられ、吸収材料からなる吸収コアを含む吸収体と、
前記裏面シートの非肌面側に、前記おむつに係止する係止部と、を有し、
前記吸収体は、周縁領域と、前記周縁領域に囲まれた中央領域と、を有し、
前記中央領域は、第１中央域と、前記長手方向における前記第１中央域の前後に配置された第２中央域と、を有し、
前記第２中央域は、前記第１中央域及び前記周縁領域よりも低い剛性を有し、
前記吸収体は、
前記中央領域に対して前記幅方向に隣接する前記周縁領域と前記中央領域との境界で前記長手方向に沿って延び、前記第中央領域及び前記周縁領域の吸収材料よりも低い坪量の一対の低坪量領域と、
前記中央領域に、前記吸収体の前記幅方向の中央で前記長手方向に延びた第１圧搾溝と、を有し、
前記係止部は、前記長手方向において前記第１圧搾溝が形成された領域を避けて設けられている、吸収パッド。
【請求項２】
前記第１圧搾溝は、前記第１中央域内に設けられており、前記長手方向において前記第１中央域の境界に達していない、請求項１に記載の吸収パッド。
【請求項３】
前記低坪量領域は、実質的に前記吸収材料を含まない領域である、請求項１又は２に記載の吸収パッド。
【請求項４】
前記係止部は前記周縁領域に設けられている、請求項１から３のいずれか１項に記載の吸収パッド。
【請求項５】
前記周縁領域及び前記第１中央域において前記吸収体に格子状に形成された第２圧搾溝を有する、請求項１から４のいずれか１項に記載の吸収パッド。
【請求項６】
前記第２圧搾溝は、前記長手方向から傾斜した方向に連続的に延びている、請求項５に記載の吸収パッド。
【請求項７】
前記第２圧搾溝は、前記吸収体の非肌面側に施されている、請求項５又は６に記載の吸収パッド。
【請求項８】
前記第２圧搾溝は、少なくとも前記係止部が設けられた領域において前記長手方向に沿って延びている、請求項５から７のいずれか１項に記載の吸収パッド。
【請求項９】
前記第２圧搾溝は、互いに交差する斜め方向に連続的に延びた溝を有し、
前記溝の交点が、前記低坪量領域からずれて配置されている、請求項５から８のいずれか１項に記載の吸収パッド。
【請求項１０】
前記係止部は、前記幅方向において、前記吸収パッドの中心から前記一対の低坪量領域の外側まで延びている、請求項１から９のいずれか１項に記載の吸収パッド。
【請求項１１】
前記第２中央域は、平面視において、前記長手方向において前記第１中央域から離れる方に凸状の形状を有する、請求項１から１０のいずれか１項に記載の吸収パッド。
【請求項１２】
前記低坪量領域よりも前記長手方向の外側において、前記周縁領域と前記中央領域との境界は、前記長手方向の外側に向かうにつれて前記幅方向の内側に直線状に傾斜している、請求項１から１１のいずれか１項に記載の吸収パッド。
【請求項１３】
前記幅方向における前記吸収パッドの幅は、前記おむつの股下域に配置された吸収体の幅方向における最小幅よりも大きい、請求項１から１２のいずれか１項に記載の吸収パッド。
【請求項１４】
前記幅方向における前記表面シートの外側部を覆うサイドシートと、
前記サイドシートに取り付けられた伸縮性の弾性部材と、を有し、
前記弾性部材の伸縮率は２．０〜２．５倍の範囲である、請求項１から１３のいずれか１項に記載の吸収パッド。
【手続補正書】
【提出日】平成29年1月25日(2017.1.25)
【手続補正１】
【補正対象書類名】特許請求の範囲
【補正対象項目名】全文
【補正方法】変更
【補正の内容】
【特許請求の範囲】
【請求項１】
おむつの内側に装着する吸収パッドであって、
長手方向と、
前記長手方向に直交する幅方向と、
表面シートと、
裏面シートと、
前記表面シートと前記裏面シートとの間に設けられ、吸収材料からなる吸収コアを含む吸収体と、
前記裏面シートの非肌面側に、前記おむつに係止する係止部と、を有し、
前記吸収体は、周縁領域と、前記周縁領域に囲まれた中央領域と、を有し、
前記中央領域は、第１中央域と、前記長手方向における前記第１中央域の前後に配置された第２中央域と、を有し、
前記第２中央域は、前記第１中央域及び前記周縁領域よりも低い剛性を有し、
前記吸収体は、
前記中央領域に対して前記幅方向に隣接する前記周縁領域と前記中央領域との境界で前記長手方向に沿って延び、前記中央領域及び前記周縁領域の吸収材料よりも低い坪量の一対の低坪量領域と、
前記中央領域に、前記吸収体の前記幅方向の中央で前記長手方向に延びた第１圧搾溝と、を有し、
前記係止部は、前記長手方向において前記第１圧搾溝が形成された領域を避けて設けられており、
前記第１圧搾溝は、非肌面側から施されている、吸収パッド。
【請求項２】
前記第１圧搾溝は、前記第１中央域内に設けられており、前記長手方向において前記第１中央域の境界に達していない、請求項１に記載の吸収パッド。
【請求項３】
前記低坪量領域は、実質的に前記吸収材料を含まない領域である、請求項１又は２に記載の吸収パッド。
【請求項４】
前記係止部は前記周縁領域に設けられている、請求項１から３のいずれか１項に記載の吸収パッド。
【請求項５】
前記周縁領域及び前記第１中央域において前記吸収体に格子状に形成された第２圧搾溝を有する、請求項１から４のいずれか１項に記載の吸収パッド。
【請求項６】
前記第２圧搾溝は、前記長手方向から傾斜した方向に連続的に延びている、請求項５に記載の吸収パッド。
【請求項７】
前記第２圧搾溝は、前記吸収体の非肌面側に施されている、請求項５又は６に記載の吸収パッド。
【請求項８】
前記第２圧搾溝は、少なくとも前記係止部が設けられた領域において前記長手方向に沿って延びている、請求項５に記載の吸収パッド。
【請求項９】
前記第２圧搾溝は、互いに交差する斜め方向に連続的に延びた溝を有し、
前記溝の交点が、前記低坪量領域からずれて配置されている、請求項５から８のいずれか１項に記載の吸収パッド。
【請求項１０】
前記係止部は、前記幅方向において、前記吸収パッドの中心から前記一対の低坪量領域の外側まで延びている、請求項１から９のいずれか１項に記載の吸収パッド。
【請求項１１】
前記第２中央域は、平面視において、前記長手方向において前記第１中央域から離れる方に凸状の形状を有する、請求項１から１０のいずれか１項に記載の吸収パッド。
【請求項１２】
前記低坪量領域よりも前記長手方向の外側において、前記周縁領域と前記中央領域との境界は、前記長手方向の外側に向かうにつれて前記幅方向の内側に直線状に傾斜している、請求項１から１１のいずれか１項に記載の吸収パッド。
【請求項１３】
前記幅方向における前記表面シートの外側部を覆うサイドシートと、
前記サイドシートに取り付けられた伸縮性の弾性部材と、を有し、
前記弾性部材の伸縮率は２．０〜２．５倍の範囲である、請求項１から１２のいずれか１項に記載の吸収パッド。